(57)【要約】【課題】長期にわたってスムーズな揺動を行うことができ、背負うときに広がりやすく、背負っているときに適切なフィット感を得ることができるランドセルの揺動アーム及び背環を提供する。【解決手段】円板状の基部３ａと、その基部の上端から前上方に延出された板状の連結部３ｂと、その上端に連続し、左右方向に延びているパイプ状の取付部３ｃとを備えており、前記基部３ａの前側に、耐摩耗性及び滑り性が高い合成樹脂からなる滑り層３ｆが設けられ、その滑り層の背面側に強度が高い合成樹脂からなる支持層３ｈが設けられているランドセルの揺動アーム３。この揺動アーム３を左右一対で設けたランドセルの背環。【選択図】図４
2019041865.tif 000002
【特許請求の範囲】
【請求項１】
ランドセルの背環に左右一対で用いられる合成樹脂製の揺動アームであって、円板状の基部と、その基部の上端から前上方に延出された板状の連結部と、その上端に連続し左右方向に延びているパイプ状の取付部とを備えており、
前記基部の前側に、耐摩耗性及び滑り性が高い合成樹脂からなる滑り層が設けられ、その滑り層の背面側に強度が高い合成樹脂からなる支持層が設けられているランドセルの背環の揺動アーム。
【請求項２】
前記滑り層の後面から複数の突起が突出しており、
前記支持層に、突起と嵌合する貫通孔が形成されている請求項１記載の揺動アーム。
【請求項３】
前記連結部の前側に、耐摩耗性及び滑り性が高い合成樹脂からなる滑り層が設けられ、その滑り層の背面側に強度が高い合成樹脂からなる支持部が設けられており、
前記連結部の滑り層が前記基部の滑り層と連続している請求項１または２記載のランドセルの揺動アーム。
【請求項４】
前記連結部の滑り層に貫通孔が形成されると共に、前記支持部に、その貫通孔と嵌合する突起が設けられている請求項３記載のランドセルの揺動アーム。
【請求項５】
前記連結部の貫通孔が、上向きに凸の円弧状の線と、その円弧状の線の両端に設けられる矢印とからなる請求項４記載のランドセルの揺動アーム。
【請求項６】
前記基部の下端近辺に、揺動アームを付勢する弾性部材と係合する当接部が設けられ、
前記当接部及びその当接部に連続する小領域が、支持層と同一の合成樹脂によって形成されると共に、前記基部の滑り層が、前記小領域と嵌合する切り欠き部を備えている請求項１〜５のいずれかに記載のランドセルの揺動アーム。
【請求項７】
基体と、その基体内に下部が揺動自在に収容される左右一対の揺動アームとからなり、それらの揺動アームが請求項１〜６のいずれかに記載の揺動アームであるランドセルの背環。
【請求項８】
前記基体が、基板とその基板の前面に取り付けられる蓋材とからなり、
前記蓋材の内面の揺動アームの基部と摺接する部位に、環状ないし円弧状のリブが突設されている請求項７記載のランドセルの背環。
【発明の詳細な説明】
【技術分野】
【０００１】
本発明は、ランドセル本体に背負いベルトを連結するための背環及びその背環に用いる揺動アームに関する。
【背景技術】
【０００２】
特許文献１には、ランドセル本体の背当て部に取り付けられる基体と、その基体内に下端が揺動可能に軸支され、上端にランドセルの背負いベルトの一端側が連結される揺動アームと、揺動アームの外向きの揺動によって圧縮され、揺動アームを内向きに付勢する弾性体とを備えたランドセルの背環が開示されている。
【先行技術文献】
【特許文献】
【０００３】
【特許文献１】実用新案登録第３２０３０４２号公報
【発明の概要】
【発明が解決しようとする課題】
【０００４】
特許文献１のランドセルは、使用者が背負うときに背負いベルトの上端側が広がるので背負いやすく、背負った後は、前記弾性体によって使用者の体格に応じた適切な位置に戻ろうとする。そのため、フィット感が高く、ずれにくい。しかしランドセルを背負った状態では、背環の揺動アームの上端が背負いベルトによって引っ張られるので、揺動アームは背環の基体の蓋体に強く圧接され、摩擦ないし引っかかりでスムーズに回動できない場合がある。とくに長期間使用した後は、揺動アームの表面が劣化して摩擦抵抗が増大し、一層戻りにくいことがある。
【０００５】
本発明は長期にわたってスムーズな揺動を行うことができ、背負うときに広がりやすく、背負っているときに適切なフィット感を得ることができるランドセルの揺動アーム及び背環を提供することを技術課題としている。
【課題を解決するための手段】
【０００６】
本発明のランドセル用の揺動アーム３は、ランドセルの背環１に左右一対で用いられる合成樹脂製の揺動アーム３であって、円板状の基部３ａと、その基部の上端から前上方に延出された板状の連結部３ｂと、その上端に連続し左右方向に延びているパイプ状の取付部３ｃとを備えており、前記基部３ａの前側に、耐摩耗性及び滑り性が高い合成樹脂からなる滑り層３ｆが設けられ、その滑り層３ｆの背面側に強度が高い合成樹脂からなる支持層３ｈが設けられていることを特徴としている。
【０００７】
このようなランドセルの背環１の揺動アーム３においては、前記滑り層３ｆの後面から複数の突起３ｉが突出しており、前記支持層３ｈに、突起３ｉと嵌合する貫通孔３ｊが形成されているものが好ましい。
【０００８】
また、前記連結部３ｂの前側に、耐摩耗性及び滑り性が高い合成樹脂からなる滑り層３ｆ１が設けられ、その滑り層３ｆ１の背面側に強度が高い合成樹脂からなる支持部３２が設けられており、その連結部の滑り層３ｆ１が前記基部の滑り層３ｆと連続しているものがさらに好ましい。その場合、前記連結部の滑り層３ｆ１に貫通孔３１が形成されると共に、滑り層３ｆ１を支持する支持部３２に、その貫通孔３１と嵌合する突起３２ａが設けられているものが好ましい。その場合、前記貫通孔３１は、上向きに凸の円弧状の線３１ａと、その円弧状の線の両端に設けられる矢印３１ｂとからなるものが好ましい。
【０００９】
さらに前記基部３ａの下端近辺に、揺動アーム３を付勢する弾性部材（ゴム状弾性体４）と係合する当接部３ｄが設けられ、前記当接部３ｄ及びその当接部に連続する小領域（台形状の部位３４）が、支持層３ｈと同一の合成樹脂によって形成されると共に、前記基部３ａの滑り層３ｆが、前記小領域と嵌合する切り欠き３４ａを備えているものが好ましい。
【００１０】
本発明のランドセルの背環１は、基体２と、その基体内に下部が揺動自在に収容される左右一対の揺動アーム３とからなり、それらの揺動アーム３が前記いずれかの揺動アームであることを特徴としている。このようなランドセルの背環１においては、前記基体２が、基板２１とその基板の前面に取り付けられる蓋材２２とからなり、前記蓋材の内面の揺動アーム３の基部３ａと摺接する部位に、環状ないし円弧状のリブ２２ｆが突設されているものが好ましい。
【発明の効果】
【００１１】
本発明のランドセルの揺動アームは、下部が基板と蓋材とからなる基体内に揺動自在に収容され、上端は基体から突出して背負いベルトの上端が連結される。この揺動アームは、基部の前側に、耐摩耗性及び滑り性が高い合成樹脂からなる滑り層を設けているので、ランドセルを背負った状態、すなわち揺動アームの基部と蓋材との当接圧が高い状態で揺動アームが揺動するとき、摺動による摩擦抵抗が低く、滑りやすい。そして滑り層の背面側に強度が高い合成樹脂からなる支持層が設けられていることもあって、揺動アームの開閉がスムーズで、ランドセルを背負うときに背負いベルトが楽に広がり、背負った状態で背負いベルトが体にフィットする。したがってランドセルの装着感が優れている。そしてこのような状態を長期間維持することができる。
【００１２】
前記滑り層の後面から複数の突起が突出しており、前記支持層に、突起と嵌合する貫通孔が形成されている場合は、支持層と滑り層の一体性が高まり、外力が加わっても両者が分離しにくい。
【００１３】
前記連結部の前側に、耐摩耗性及び滑り性が高い合成樹脂からなる滑り層が設け、その滑り層の背面側に強度が高い合成樹脂からなる支持部が設けられており、その連結部の滑り層が前記基部の滑り層と連続している場合は、連結部の前面が蓋材と摺動しても、スムーズな揺動を実現できる。とくに連結部が強い力で前に引かれながら摺動する場合でも、支持部の強度が高く、滑り層の滑り性が高いため、スムーズに摺動する。
【００１４】
前記連結部の滑り層に貫通孔が形成されると共に、前記支持部に、その貫通孔と嵌合する突起が設けられている場合は、連結部の滑り層と支持部との一体性が高まり、外力が加わっても滑り層が支持部から剥がれにくい。
【００１５】
連結部の貫通孔が、上向きに凸の円弧状の線と、その円弧状の線の両端に設けられる矢印とからなる場合は、滑り層と支持層の一体性が一層高くなると共に、揺動アームのデザイン性が高くなる。
【００１６】
前記基部の下端近辺に、揺動アームを付勢する弾性部材の一端と係合する当接部が設けられ、前記当接部及びその当接部に連続する小領域が、支持層と同一の合成樹脂によって形成されると共に、前記基部の滑り層が、前記小領域と嵌合する切り欠きを備えている場合は、当接部に強い力が加わっても、滑り層には力が伝わらないので剥がれにくい。
【００１７】
本発明のランドセルの背環は、前記いずれかの揺動アームを備えているので、それらの効果を奏する。このような背環において、前記基体が、基板とその基板の前面に取り付けられる蓋材とからなり、前記蓋材の内面の揺動アームの基部と摺接する部位に、環状ないし円弧状のリブが突設されている場合は、揺動アームと蓋体の摺動抵抗が一層低くなり、さらに弾性変形が抑制されるので、揺動アームがスムーズに揺動する。
【図面の簡単な説明】
【００１８】
【図１】この発明の一実施形態に係るランドセルの背環を示す分解斜視図である。
【図２】基板の詳細を示しており、（ａ）はその内面側の正面図、（ｂ）は側面図である。
【図３】蓋材の詳細を示しており、（ａ）はその内面側を示す正面図、（ｂ）は図３ａのＩＩＩ−ＩＩＩ線断面図、（ｃ）は組み立てた背環の一部切り欠き正面図である。
【図４】揺動アームの詳細を示しており、（ａ）は正面図、（ｂ）は左側面図、（ｃ）は右側面図である。
【図５】揺動アームの詳細を示しており、（ａ）は背面図、（ｂ）は（ａ）のＡ−Ａ線断面図である。
【図６】揺動アームの詳細を示しており、（ａ）は図４ｃの矢印Ｂから見た図、（ｂ）は図４ａのＣ−Ｃ線断面図、（ｃ）は揺動アームの連結部の他の実施形態を示す要部正面図である。
【図７】揺動アームの他の実施形態を示す斜視図である。
【図８】（ａ）はゴム状弾性体の一実施形態を示す正面図、（ｂ）は他の実施形態を示す正面図である。
【図９】背環のランドセルへの取り付け状態を示す正面図である。
【発明を実施するための形態】
【００１９】
以下、この発明の実施形態を図面に基づいて詳細に説明する。図１は、この発明の一実施形態に係るランドセルの背環１を示している。この背環１は、図９に示すように、ランドセル本体１０の背当て部１０ａに取り付けられる基体２と、基体２に揺動自在に軸支され、上端部に背負いベルト１１の一端側が連結された左右一対の揺動アーム３、３と、基体２内に収容され、揺動アーム３の揺動に反発するゴム状弾性体４とを備えている。揺動アーム３の上端部と背負いベルト１１の一端側とは、取付環５を介して連結されている。基体２には、ランドセル本体１０をフックなどに掛け止めるための吊り下げ環６が取り付けられている。図９において符号７は基体２の表面を覆う合成樹脂シートや皮革などからなるカバーであり、符号８はカバー７の上端を基体２と共に押さえる縁金である。
【００２０】
基体２は、図１に示すように、ランドセル本体１０の背当て部１０ａ側に位置する基板２１と、基板２１を覆う蓋材２２とから構成されている。基体２は前記揺動アーム３、３の下部及びゴム状弾性体４を収容し、支持するケースとして作用する。
【００２１】
図２ａ、図２ｂに示すように、基板２１は、左右対称で、上端が上に凸の円弧状で、左右の側面から下面にかけて略Ｕ字状の輪郭を有する合成樹脂製の平板である。基板２１の下部には、ゴム状弾性体４を支持する支持軸２２ａ（図３ｂ参照）と嵌合する嵌合ピン２１ａが左右一対で突設されている。
【００２２】
また、基板２１には、上方において揺動アーム３を揺動可能に軸支するための軸部２１ｂが設けられている。軸部２１ｂは円筒状であって、中心の孔に蓋材２２に形成された嵌合突起２２ｄを嵌合できるようになっている。また、基板２１の中央部及び両端部には、基体１１をランドセル本体に取り付けるためのネジを通すネジ孔２１ｃ、２１ｄが設けられている。なお、両端部のネジ孔２１ｄの周囲は蓋体２２のネジ孔と嵌合するように円筒状に突出している。両端部のネジ孔２１ｄの近辺は、基体２の内部の空間Ｓ（図３ｃ参照）を広くするため、左右に突出している。ネジ孔２１ｃ、２１ｄに代えてリベットを通す孔を採用してもよく、ネジ孔にリベットを通して固定してもよい。
【００２３】
蓋材２２は、図３ａ、図３ｂに示すように、上端が略円弧状で、左右の側面から下面にかけて略Ｕ字状の輪郭形状、すなわち基板２１と実質的に同じ輪郭形状を有する。但し、蓋材２２は縁部が立ち上がっており（立ち上がり２２ｂ）、図３に示すように、基板２１に取り付けると、基板２１と蓋材２２の間に揺動アーム３やゴム状弾性体４、吊り下げ環６（図１参照）を収容可能な空間Ｓが形成される。また、蓋材２２の前面下部は、図３ｂに示すように、緩やかに湾曲しながら後退している。そのため、下方にいくほど空間Ｓが浅く、外面の厚さが薄くなっている。これは図９のようにランドセル本体１０に取り付けたとき、背当て部１０ａとの間の段差を少なくするためである。
【００２４】
前記縁部の立ち上がり２２ｂは、基板２１の軸部２１ｂに軸支された揺動アーム３を上方に突出させるため、揺動アーム３の可動域となる範囲が切り欠かれている（切欠部２２ｃ）。そのため、基板２１と蓋材２２とを組み合わせると、基体２の上方にスリット状の開口が形成される。また、左右の切欠部２２ｃの間の突片には、吊り下げ環６の下端を基体２内に位置させるための浅い切り欠きが設けられている。
【００２５】
蓋材２２には、上記の通り、基板２１の軸部２１ｂに嵌合する円筒状の嵌合突起２２ｄが設けられている。嵌合突起２２ｄの中心の貫通孔２２ｅは、基板２１に蓋材２２を固着するリベットを通す穴である。嵌合突起２２ｄの外周には、揺動アーム３をスムーズに揺動させるため、後述する揺動アーム３の基部３ａと対向する略環状ないし円弧状のリブ２２ｆが設けられている。さらに下部の幅方向の中央には、前述のゴム状弾性体４を支持する支持軸２２ａが左右一対で内面から突出して設けられている。この支持軸２２ａは、ゴム状弾性体４の２個の貫通孔４ｆに挿入されてゴム状弾性体４を支持するものである。これらの支持軸２２ａと基板２１の嵌合ピン２１ａは、基板２１と蓋材２２の位置決め機能も奏する。
【００２６】
また、中央部及び両端部には、基板２１と重ね合わせたときに基板２１のネジ孔２１ｃ、２１ｄと対向する箇所に、それぞれネジ孔２２ｇ、２２ｈが設けられている。なお、中央のネジ孔２２ｇは、吊り下げ環６の取り付けにも使用されることから、その外側には補強リブ２２ｉが設けられている。これらの補強リブ２２ｉは上下に長く、吊り下げ環６の上下動のガイド作用を奏する。なお、下端２２ｊはゴム状弾性体４の上端との間に隙間があく位置としている。蓋材２２の左右端のネジ孔２２ｈの外周２２ｋは、基板２１のネジ孔２１ｆの外周に対応して円筒状に突出している。円弧状のリブ２２ｆと嵌合突起２２ｄとは、半径方向に延びる補強リブ２２ｌによって連結されている。
【００２７】
揺動アーム３は、図１及び図４ａ、図４ｂ、図４ｃに示すように、円板状の基部３ａと、基部３ａから前上方に延出された板状の連結部３ｂと、その上端に連続して左右方向に延びている、取付環５を取り付けるためのパイプ状の取付部３ｃと、基部３ａから下方に突出して、ゴム状弾性体４と当接する板状の当接部３ｄとから構成されている。基部３ａの中心には、揺動アーム３を基板２１の軸部２１ｂに揺動自在に軸支するための軸孔３ｅが設けられている。
【００２８】
基部３ａの蓋材（図１の符号２２）と対向する部位には、耐摩耗性及び滑り性が高い合成樹脂からなる滑り層３ｆが設けられている。そのような合成樹脂としては、ポリプロピレン（ＰＰ）、ポリアセタール（ジュラコン）などが用いられる。とくにポリプロピレンは表面硬度が高く、耐摩耗性が高い点で好ましい。他の部分はベース３ｇであり、このベースのうち、滑り層３ｆを裏側から支持する部位が支持層３ｈである。べース３ｇには、強度及び耐久性が高い合成樹脂、例えばポリアミド樹脂（ＰＡ、ナイロン）などが好ましい。滑り層３ｆとベース３ｇは異なる色で成形するのがデザインの観点から好ましい。
【００２９】
そしてこの実施形態では、図５ａ、図５ｂに示すように、滑り層３ｆの裏面側に複数本の突起３ｉが突出しており、支持層３ｈにそれらの突起３ｉが嵌合する貫通孔３ｊが形成されている。突起３ｉは例えば円柱状である。このような構成は、インサート成形などによって得ることができる。すなわち、予め突起３ｉを設けた滑り層３ｆを射出成形などで成形しておき、ベース３ｇを成形する金型に滑り層３ｆを挿入し、ベース用の合成樹脂を充填して支持層３ｈを含むベース３ｇの全体を成形する。そのとき、突起３ｉを囲むようにして貫通孔３ｊが形成され、全体として一体化される。これにより滑り層３ｆと支持層３ｈとは、異なる合成樹脂であっても密に一体化し、外力が加わっても剥がれにくくなる。
【００３０】
突起３ｉ及び貫通孔３ｊは軸孔３ｅを中心とする円に沿って略均等に配列するのが好ましい。また、滑り層３ｆの厚さも均等にするのが好ましい。それにより密着面の全体で剥がれに対して抵抗することができる。上記の製造法は、ベース３ｇを構成する合成樹脂の溶融温度が滑り層３ｆの合成樹脂の溶融温度より低い場合であり、逆の場合は先にベース３ｇを成形する。なお、ベース３ｇとすべり層３ｆを別々に作成し、その後、両者を組み立ててもよい。
【００３１】
また、この実施形態では、図４ｃに示すように、基部３ａの上端から斜めに延びる連結部３ｂの前面にも滑り層３ｆ１が形成されている。この連結部３ｂの滑り層３ｆ１により、揺動アーム３の上端に背負いベルトの引っ張り力が加わって連結部３ｂが弾性変形したときでも、蓋体２２の内面や縁角部とスムーズに摺動することができる。連結部３ｂの滑り層３ｆ１は基部３ａの滑り層３ｆから連続すると共に略同一の厚さとしている。ただし連結部３ｂの滑り層３ｆ１は、先端近辺では筒状の取付部３ｃと干渉しないように次第に薄くするようにしてもよい。そして屈曲部３ｋでは滑らかな円弧状に連続している。
【００３２】
さらに図６ａ及び図６ｂに示すように、連結部３ｂの滑り層３ｆ１の先端近辺に貫通孔３１を形成し、その裏側のベース３ｇからなる支持部３２にその貫通孔３１と嵌合する突起３２ａを形成している。このような貫通孔３１と突起３２ａの嵌合により、連結部３ｂが弾性変形を繰り返しても、滑り層３ｆ１が支持部３２から剥がれにくい。滑り層３ｆ１側に貫通孔３１を形成するのは、支持部３２が断面略三角形状で厚いので、貫通孔を形成するのが難しいためである。さらに支持部３２に貫通孔をあけると、強度が低下するので好ましくない。
【００３３】
この実施形態では、滑り層３ｆ１の先端に、支持部３２内に食い込む突片３３を設けている。突片３３の幅を連結部３ｂより狭くして、支持部３２内に埋め込むようにするのが好ましい。それにより滑り層３ｆ１が一層剥がれにくくなる。貫通孔３１は、上向きに凸の円弧状のスリット（線）３１ａと、その両端に形成した矢印（三角形）３１ｂとからなるマークとしている。このマークは揺動アーム３の往復揺動をイメージしており、デザイン性が高い。ただし基部３ａの突起３ｉと同様に、複数本の細い円柱状にしてもよく、角柱状、たとえば図６ｃに示すように六角柱の突起３２ａおよび貫通孔３１にすることもできる。また、図７に示すように、左右の貫通孔３１および突起３２ａを分離し、左向きの矢印のマークと右向きの矢印のマークを分離してもよい。このようにすると滑り層３ｆ１が一層剥がれにくくなる。
【００３４】
なお、図４ａ、図６ｂに示すように、基部３ａの下側に突出する当接部３ｄと、基部３ａのうち当接部３ｄと隣接する略台形状の部位３４については、すべり層を設けず、ベース３ｇと同じ強度が高い合成樹脂のみで成形している。これは当接部３ｄに加わる力によって２層が分離したり、割れたりするのを防止するためである。滑り層３ｆについては、略台形状の部位３４に相当する切り欠き３４ａが形成されていることになる。前述のインサート成形の場合は、裏面に複数本の細い円柱状の突起３ｉを設け、上部に矢印状の貫通孔３１を有し、下端に切り欠き３４ａを形成した滑り層３ｆを形成し、その滑り層を全体の金型に入れてベースの合成樹脂を充填する。
【００３５】
図４ｂ、図４ｃに示すように、揺動アーム３の上端の取付部３ｃには、取付環（図１の符号５）の端部５ａ、５ａ（図１参照）を挿入するための取付孔３５が設けられている。この実施形態では取付環５が取付孔３５内で回動しないように、取付環５の端部は扁平に潰されており、取付孔３５は扁平な矩形状の断面形状を有する。取り付け強度を高めるため、取付孔３５の内側に金属製のパイプ３６を埋設してもよい。
【００３６】
ゴム状弾性体（ゴムプレート）４は、図１及び図８ａに示すように、上部４ａが横長の略台形状で、下部４ｂがさらに左右に長い略台形状のゴム板からなる。下部は小判型ないし楕円状としてもよい。下部４ｂの左右端は斜め直線状の傾斜部４ｃが形成されている。上端縁４ｄは直線状で、その両端から斜め下方に延びる台形の脚部に相当する部位には、揺動アーム３の円盤状の基部３ａの周囲と摺接する凹円弧部４ｅが形成され、その凹円弧部４ｅは前記下部４ｂに連続しており、全体として２段の台形状を呈している。さらに中央部には蓋材２２の支持軸２２ａと嵌合する取り付け用の貫通孔４ｆが形成されている。ゴム状弾性体４の下端４ｇは蓋材２２の下端の立ち上がり２２ｂの内面と当接するように外に凸の緩い湾曲面である。
【００３７】
ゴム状弾性体４の材質としては、例えばシリコーン系ゴム、ウレタン系ゴム、ポリオレフィン系ゴム、エラストマー等の合成ゴムの使用や天然ゴムが可能であるが、耐候性に優れるシリコーン系ゴムを用いることが好ましい。製法としては、例えば上記素材のゴムシートを所定の輪郭形状に打ち抜いたり、ゴム素材を型に流しんでベーキングないし加硫したりする。後者の場合は部分的に厚さを代えたり、立体形状にすることもできる。
【００３８】
なお、図８ｂに示すように、ゴム状弾性体（ゴムプレート）４を中央で分離し、左右一対とすることもできる。この場合は弾性変形する余裕を設けるため、左右の間に隙間４ｈをあけて配置することができる。
【００３９】
取付環５は、図１に示すように、金属線を略三角形状に折り曲げて成形したものである。取り付け前は、線材の両端部５ａ、５ａ間に取付部３ｃの軸方向長さより大きい間隔が設けられており、両端部５ａ、５ａを取付孔３５に挿入した後、互いに近づけるように塑性変形させることで揺動アーム３に取り付ける。
【００４０】
吊り下げ環６は、図１に示すように、金属線を略栓抜き状に折り曲げて成形したものである。この吊り下げ環６は、下方に延びるＵ字部分６ａにネジ孔２１ｃに対応するネジが挿通されることで、基体２に対して上下方向にスライド可能に固定される。
【００４１】
以上に、この発明の代表的な実施形態について説明したが、この発明は上記実施形態に限定されるものではなく、この発明の範囲内で種々変更して実施することが可能である。
【００４２】
例えば、上記実施形態では、富士山状のゴム状弾性体４を用いているが、上記の作用効果が得られる範囲で、１枚または左右に分割した楕円環状や角状など、種々の形状を採用しても良い。また、厚さを部分的に変化させたり立体的な形状にしてもよい。また、蓋材２２に立ち上がり２２ｂが設けられていたが、基板２１に立ち上がりを設けるようにしても良い。また、揺動アーム３への背負いベルト１１の連結については、取付環５を介さず、揺動アーム３の上端にベルト連結部を一体的に設けて、直接連結しても良い。ゴム状弾性体に代えて金属線や金属板を折り曲げた板バネや、金属線を加工した引っ張りまたは圧縮コイルバネ、ネジリコイルバネなど、金属製の弾性体からなるバネを採用しても良い。
【符号の説明】
【００４３】
１・・ランドセルの背環
２・・基体
２１・・基板
２１ａ・・嵌合ピン
２１ｂ・・軸部
２１ｃ・・ネジ孔（中央部）
２１ｄ・・ネジ孔（端部上方）
２２・・蓋材
２２ａ・・支持軸
２２ｂ・・立ち上がり
Ｓ・・・空間
２２ｃ・・切欠部
２２ｄ・・嵌合突起
２２ｅ・・貫通孔
２２ｆ・・円弧状のリブ
２２ｇ・・ネジ孔（中央部）
２２ｈ・・ネジ孔（端部上方）
２２ｉ・・補強リブ
２２ｊ・・補強リブの下端
２２ｋ・・ネジ孔の周囲
２２ｌ・・補強リブ
３・・揺動アーム
３ａ・・基部
３ｂ・・連結部
３ｃ・・取付部
３ｄ・・当接部
３ｅ・・軸孔
３ｆ・・滑り層
３ｇ・・ベース
３ｈ・・支持層
３ｉ・・突起
３ｊ・・貫通孔
３ｋ・・屈曲部
３ｆ１・・連結部の滑り層
３１・・貫通孔
３１ａ・・スリット（線）
３１ｂ・・矢印
３２・・支持部
３２ａ・・突起
３３・・突片
３４・・台形状の部位（小領域）
３４ａ・・切り欠き
３５・・取付孔
３６・・パイプ
４・・ゴム状弾性体（弾性部材）
４ａ・・上部
４ｂ・・下部
４ｃ・・傾斜部
４ｄ・・上端縁
４ｅ・・凹円弧部
４ｆ・・貫通孔
４ｇ・・下端
４ｈ・・隙間
５・・取付環
５ａ・・端部
６・・吊り下げ環
６ａ・・Ｕ字部分
７・・カバー
８・・縁金
１０・・ランドセル本体
１０ａ・・背当て部
１１・・背負いベルト
【図１】
2019041865.tif 000003
【図２】
2019041865.tif 000004
【図３】
2019041865.tif 000005
【図４】
2019041865.tif 000006
【図５】
2019041865.tif 000007
【図６】
2019041865.tif 000008
【図７】
2019041865.tif 000009
【図８】
2019041865.tif 000010
【図９】
2019041865.tif 000011